(57)【要約】【課題】カメラシステムのシステムの異常を容易に確認できることで、カメラシステムの運用面での信頼性の向上を図ること。【解決手段】複数のカメラヘッドと対応する複数のカメラコントロールユニットで構成されるテレビジョンカメラシステムにおいて、テレビジョンカメラシステムの異常を検出する手段を具備し、検出した異常状態を表す信号をカメラコントロールユニットから出力する手段と、この異常状態を示す信号をアラームランプ等で視覚的に知らせる手段を有するテレビジョンカメラシステムで、ＣＣＵラック上に、カメラシステムの異常を検出した場合に、点滅するアラームランプを具備し、さらにその異常の内容について、モニタ上に表示させる構成としたものである。【選択図】      図１
2004166075.tif 000002
【特許請求の範囲】
【請求項１】
複数のカメラヘッドと対応する複数のカメラコントロールユニットで構成されるテレビジョンカメラシステムにおいて、前記テレビジョンカメラシステムの異常を検出する手段を具備し、検出した異常状態を表す信号を前記カメラコントロールユニットから出力する手段と、この異常状態を示す信号をアラームランプ等で視覚的に知らせる手段を有することを特徴とするテレビジョンカメラシステム。
【発明の詳細な説明】
【０００１】
【発明の属する技術分野】
本発明は、カメラヘッドとカメラコントロール部（以下ＣＣＵ）で構成されるテレビジョンカメラシステムに関するものである。
【０００２】
【従来の技術】
図４にテレビジョンカメラシステムの一例を示す。  スタジオ等で用いられる放送用カメラは、一般的にカメラヘッド２２とＣＣＵ２４が分離した形が一般的であり、カメラヘッド２２とＣＣＵ２４はカメラケーブル２３を介して結ばれている。
図５はこれらカメラシステムの設置状態の一例を示している。  カメラヘッド２６はスタジオフロア２５内に設置し、ＣＣＵ２８は、映像調整卓２９、モニタ３０等と共に副調整室２７に設置するのが一般的で、オペレータは副調整室２７で、複数のカメラの切り替えやカメラの調整等を行っている。
オペレータは、番組収録中に事故が起きないようカメラの運用状態を常に監視する必要がある。  特に、カメラに供給する電源は、安定であることが絶対条件である。
【０００３】
図３は、副調整室２７に設置されたＣＣＵラックの一例であり、従来のカメラシステムの運用状態を監視するシステムの一例を示す。
ＣＣＵラック１７にはＣＣＵ１８が複数台設置され、また、ＣＣＵラック１７上には、カメラに供給する電源の状態を表すランプ１６が設置されている。電源に異常があった場合、ランプ１６を点燈させることにより、オペレータに視覚的に知らせる役目をしている。
ここで、電源を監視し、電源異常をアラーム表示させる装置の一例を、具体的に説明する。
電源に異常がない場合には、リレー（ＲＬ）１５は、ＣＯＭＭＯＮ側になっており、このときアラームランプ１６には、分電盤１９からＤＣ電源が供給されず、アラームランプ１６は点燈しない。
しかし、過電流等でノンヒューズブレーカ（以下、ＮＦＢとする）２０がＯＦＦ状態に切り替わると、リレー１５が、分電盤からのＤＣ電圧の電位差によって、ＭＡＫＥ側に切り替わる。このようになると、アラームランプ１６はＤＣ電圧が印加され、点燈する。
以上説明したように、カメラシステムに供給する電源に異常が発生した場合には、ＣＣＵラック１７上のアラームランプ１６により、オペレータに視覚的に知らせることで、ＣＣＵに供給する電源の状態を容易に監視することができる。
【０００４】
【発明が解決しようとする課題】
しかしながら、上述の例では、オペレータはカメラシステムに供給する電源が異常時のみ認識することができ、それ以外の故障等は、ＣＣＵ出力のモニタ上でのメーセージを見て確認する必要があり、カメラシステムの異常を見逃す可能性があった。
本発明はこれらの欠点を除去し、カメラヘッドとＣＣＵが分離する構成をもつテレビジョンカメラシステムにおいて、オペレータがカメラシステムの異常を容易に監視できるシステムを供給することを目的とする。
【０００５】
【課題を解決するための手段】
本発明は上記の目的を達成するため、複数のカメラヘッドと対応する複数のカメラコントロールユニットで構成されるテレビジョンカメラシステムにおいて、前記テレビジョンカメラシステムの異常を検出する手段を具備し、検出した異常状態を表す信号を前記カメラコントロールユニットから出力する手段と、この異常状態を示す信号をアラームランプ等で視覚的に知らせる手段を有するテレビジョンカメラシステムとしたものである。
すなわち、従来の例のように、ＮＦＢ盤からの情報で、電源の異常をアラームランプで知らせる手段に加えて、カメラシステムに異常が発生した場合、ＣＣＵから、エラー検出信号を出力する手段を具備することで、ＣＣＵラック上に設置したアラームランプを点燈させるようにしたものである。
【０００６】
【発明の実施の形態】
ＣＣＵ内の信号処理について、図２のブロック図を用いて説明する。
カメラヘッドから送られてくる映像信号は、伝送処理回路８で、シリアル／パラレル（Ｓ／Ｐ）変換等の処理が施される。映像信号処理回路９では、必要な信号処理が施され、本線映像を出力する。また、ＰＩＸ出力は、カメラシステムの様々な情報を文字情報として本線映像に付加したものである。これらの情報は、カメラシステムの異常状態の情報も含まれている。ＥＲＲＯＲ検出回路１２は、伝送処理回路８や映像信号処理回路９等の様々な個所からＣＣＵ内の異常を検出し、この情報をＣＰＵ１１に伝達する。
また、カメラヘッド内の異常情報は、カメラヘッドから送られてくる映像信号から、ＣＰＵデータ分離回路１０で異常情報データを分離し、ＣＰＵ１１に伝達することで行われる。
ＣＰＵ１１はこれらの情報を基にキャラクタ生成回路１３に伝達し、異常状態を文字情報として付加しＰＩＸ出力に出力させる。  図６は、ＰＩＸＯＵＴ出力に、ケーブルの断線が発生した状態を示し、モニタ上で見た場合の一例である。またＣＰＵ１１からは、ＥＲＲＯＲ検出時に、ＥＲＲＯＲ検出信号を出力する。
【０００７】
図１は、本発明の第一の実施例を示すテレビジョンカメラシステムの構成図である。  ＣＣＵラック５には、複数のＣＣＵ６とアラームランプ４が設置されている。  ＣＣＵ６からは、カメラシステムの本線ＰＩＸ出力が、ＰＩＸモニタ７に接続されている。  また、カメラシステムが、異常を検出した場合に出力するＥＲＲＯＲ検出信号がリレー２に接続されている。さらにＮＦＢ盤１からの信号もリレー２に接続されている。
上述したように、カメラシステムに故障等の異常が発生すると、ＣＣＵ６からはＥＲＲＯＲ検出信号が出力される。この信号によって、リレー２は、分電盤３からのＤＣ電圧の電位差により、ＣＯＭＭＯＮからＭＡＫＥに切り替わり、アラームランプ４は、分電盤３から供給されるＤＣ電圧によって点燈する。
またこのときＣＣＵからＰＩＸ出力に、ＥＲＲＯＲメーセージを示す文字情報の入った映像信号が出力されている。
【０００８】
また、電源の異常状態に関しては、従来例と同様に、電源に異常がない場合には、リレー２は、ＣＯＭＭＯＮ側になっており、このときアラームランプ４には分電盤３からＤＣ電源が供給されず、アラームランプ４は点燈しない。
しかし、過電流等で、ブレーカ２１がＯＦＦ状態に切り替わると、リレー２が分電盤３からのＤＣ電圧の電位差によって、ＭＡＫＥ側に切り替わる。このことによりアラームランプ４はＤＣ電圧が印加され、点燈する。
以上述べた通り、オペレータは、カメラシステムに異常があると、アラームランプによって、容易にカメラシステムの異常を確認することができ、異常の内容については、ＰＩＸモニタのＥＲＲＯＲメッセージを確認することで、内容を把握することが可能となる。
【０００９】
【発明の効果】
以上述べた如く本発明によれば、従来に比べてカメラシステムの異常を、オペレータが容易に確認できるため、カメラシステムの運用面で信頼性の向上を図ることが可能となる。
【図面の簡単な説明】
【図１】本発明のカメラシステムにおける異常検出構成の一実施例を示す図
【図２】本発明のＣＣＵ内の信号処理を説明する図
【図３】従来例の異常検出構成を示す図
【図４】カメラシステムを説明する図
【図５】放送設備を説明する図
【図６】モニタ上に異常を示すメッセージが表示された状態を説明する図
【符号の説明】
１：ＮＦＢ盤、２：リレー、３：分電盤、４：アラームランプ、５：ＣＣＵラック、６：ＣＣＵ、７：ＰＩＸモニタ、８：伝送処理回路、９：映像信号処理回路、１０：ＣＰＵデータ分離回路、１１：ＣＰＵ、１２：ＥＲＲＯＲ検出回路、１３：キャラクタ生成回路、２１：ブレーカ、２２：カメラヘッド、２３：カメラケーブル、２４：カメラコントロールユニット。
【図１】
2004166075.tif 000003
【図２】
2004166075.tif 000004
【図３】
2004166075.tif 000005
【図４】
2004166075.tif 000006
【図５】
2004166075.tif 000007
【図６】
2004166075.tif 000008